【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
端末（ＵＥ）がチャネル状態情報（ＣＳＩ）報告を遂行する方法であって、
第１の周期（period）及び第１のオフセット（offset）に対する情報と、第１のインデックス及び第１のチャネル測定情報と第１の干渉測定情報を含む第１のＣＳＩ構成情報を確認するステップと、
第２の周期及び第２のオフセットに対する情報と、第２のインデックス及び第２のチャネル測定情報と第２の干渉測定情報を含む第２のＣＳＩ構成情報を確認するステップと、
前記第１のＣＳＩ構成情報に対する第１のＣＳＩ報告と前記第２のＣＳＩ構成情報に対する第２のＣＳＩ報告が衝突する場合、前記第１のＣＳＩ報告と前記第２のＣＳＩ報告のそれぞれのＣＳＩ報告タイプが同一の優先順位を有すると、前記第１のインデックスと前記第２のインデックスのうちの最も低いインデックスのＣＳＩ構成情報に対するＣＳＩ報告を遂行するステップと、を含み、
前記ＣＳＩ報告は、チャネル測定情報及び干渉測定情報に基づいて生成されることを特徴とするＣＳＩ報告遂行方法。
【請求項２】
前記ＣＳＩ報告を遂行するステップは、
前記第１のＣＳＩ報告と前記第２のＣＳＩ報告のそれぞれのＣＳＩ報告タイプが同一の優先順位を有し、前記第１のインデックスと前記第２のインデックスが同一である場合、前記第１のＣＳＩ報告及び前記第２のＣＳＩ報告のうちの最も低いセルインデックスを有するセルに対応するＣＳＩ報告を遂行するステップを含むことを特徴とする請求項１に記載のＣＳＩ報告遂行方法。
【請求項３】
前記第１のチャネル測定情報及び前記第２のチャネル測定情報は、各々少なくとも一つのＣＳＩ−参照信号（reference signal：ＲＳ）に対する情報を含むことを特徴とする請求項１に記載のＣＳＩ報告遂行方法。
【請求項４】
前記ＣＳＩ報告は、ランキング指示子（rank indicator：ＲＩ）、広帯域（wideband）チャネル品質指示子（channel quality indicator：ＣＱＩ）、サブ帯域（subband）ＣＱＩ、プリコーディングマトリックス指示子（precoding matrix indicator：ＰＭＩ）及びプリコーディングタイプ指示子（precoding type indicator：ＰＴＩ）のうちの少なくとも一つを含むことを特徴とする請求項１に記載のＣＳＩ報告遂行方法。
【請求項５】
前記ＣＳＩ報告は、少なくとも一つのＣＳＩ−ＲＳを指示する情報を含むことを特徴とする請求項４に記載のＣＳＩ報告遂行方法。
【請求項６】
基地局がチャネル状態情報（ＣＳＩ）報告を受信する方法であって、
第１の周期（period）及び第１のオフセットに対する情報と、第１のインデックス及び第１のチャネル測定情報と第１の干渉測定情報を含む第１のＣＳＩ構成情報を送信するステップと、
第２の周期及び第２のオフセットに対する情報と、第２のインデックス及び第２のチャネル測定情報と第２の干渉測定情報を含む第２のＣＳＩ構成情報を送信するステップと、
前記第１のＣＳＩ構成情報に対する第１のＣＳＩ報告と前記第２のＣＳＩ構成情報に対する第２のＣＳＩ報告が衝突する場合、前記第１のＣＳＩ報告と前記第２のＣＳＩ報告のそれぞれのＣＳＩ報告タイプが同一の優先順位を有すると、前記第１のインデックスと前記第２のインデックスのうちの最も低いインデックスのＣＳＩ構成情報に対するＣＳＩ報告を受信するステップと、を含み、
前記ＣＳＩ報告は、チャネル測定情報及び干渉測定情報に基づいて生成されることを特徴とするＣＳＩ報告受信方法。
【請求項７】
前記受信するステップは、
前記第１のＣＳＩ報告と前記第２のＣＳＩ報告のそれぞれのＣＳＩ報告タイプが同一の優先順位を有し、前記第１のインデックスと前記第２のインデックスが同一である場合、前記第１のＣＳＩ報告及び前記第２のＣＳＩ報告のうちの最も低いセルインデックスを有するセルに対応するＣＳＩ報告を受信するステップを含むことを特徴とする請求項６に記載のＣＳＩ報告受信方法。
【請求項８】
前記第１のチャネル測定情報及び前記第２のチャネル測定情報は、各々少なくとも一つのＣＳＩ−参照信号（reference signal：ＲＳ）に対する情報を含むことを特徴とする請求項６に記載のＣＳＩ報告受信方法。
【請求項９】
前記ＣＳＩ報告は、ランキング指示子（rank indicator：ＲＩ）、広帯域（wideband）チャネル品質指示子（channel quality indicator：ＣＱＩ）、サブ帯域（subband）ＣＱＩ、プリコーディングマトリックス指示子（precoding matrix indicator：ＰＭＩ）及びプリコーディングタイプ指示子（precoding type indicator：ＰＴＩ）のうちの少なくとも一つを含むことを特徴とする請求項６に記載のＣＳＩ報告受信方法。
【請求項１０】
前記ＣＳＩ報告は、少なくとも一つのＣＳＩ−ＲＳを指示する情報を含むことを特徴とする請求項９に記載のＣＳＩ報告受信方法。
【請求項１１】
端末（ＵＥ）であって、
送信部と、
第１の周期（period）及び第１のオフセットに対する情報と、第１のインデックス及び第１のチャネル測定情報と第１の干渉測定情報を含む第１のチャネル状態情報（ＣＳＩ）構成情報を確認し、第２の周期及び第２のオフセットに対する情報と、第２のインデックス及び第２のチャネル測定情報と第２の干渉測定情報を含む第２のＣＳＩ構成情報を確認し、前記第１のＣＳＩ構成情報に対する第１のＣＳＩ報告と前記第２のＣＳＩ構成情報に対する第２のＣＳＩ報告が衝突する場合、前記第１のＣＳＩ報告と前記第２のＣＳＩ報告のそれぞれのＣＳＩ報告タイプが同一の優先順位を有すると、前記第１のインデックスと前記第２のインデックスのうちの最も低いインデックスのＣＳＩ構成情報に対するＣＳＩ報告を遂行するように前記送信部を制御する制御部と、を含み、
前記ＣＳＩ報告は、チャネル測定情報及び干渉測定情報に基づいて生成されることを特徴とする端末。
【請求項１２】
前記制御部は、前記第１のＣＳＩ報告と前記第２のＣＳＩ報告のそれぞれのＣＳＩ報告タイプが同一の優先順位を有し、前記第１のインデックスと前記第２のインデックスが同一である場合、前記第１のＣＳＩ報告及び前記第２のＣＳＩ報告のうちの最も低いセルインデックスを有するセルに対応するＣＳＩ報告を遂行するように前記送信部を制御することを特徴とする請求項１１に記載の端末。
【請求項１３】
前記第１のチャネル測定情報及び前記第２のチャネル測定情報は、各々少なくとも一つのＣＳＩ−参照信号（reference signal：ＲＳ）に対する情報を含むことを特徴とする請求項１１に記載の端末。
【請求項１４】
前記ＣＳＩ報告は、ランキング指示子（rank indicator：ＲＩ）、広帯域（wideband）チャネル品質指示子（channel quality indicator：ＣＱＩ）、サブ帯域（subband）ＣＱＩ、プリコーディングマトリックス指示子（precoding matrix indicator：ＰＭＩ）及びプリコーディングタイプ指示子（precoding type indicator：ＰＴＩ）のうちの少なくとも一つを含むことを特徴とする請求項１１に記載の端末。
【請求項１５】
前記ＣＳＩ報告は、少なくとも一つのＣＳＩ−ＲＳを指示する情報を含むことを特徴とする請求項１４に記載の端末。
【請求項１６】
基地局であって、
第１の周期（period）及び第１のオフセットに対する情報と、第１のインデックス及び第１のチャネル測定情報と第１の干渉測定情報を含む第１のチャネル状態情報（ＣＳＩ）構成情報を送信し、第２の周期及び第２のオフセットに対する情報と、第２のインデックス及び第２のチャネル測定情報と第２の干渉測定情報を含む第２のＣＳＩ構成情報を送信する送信部と、
前記第１のＣＳＩ構成情報に対する第１のＣＳＩ報告と前記第２のＣＳＩ構成情報に対する第２のＣＳＩ報告が衝突する場合、前記第１のＣＳＩ報告と前記第２のＣＳＩ報告のそれぞれのＣＳＩ報告タイプが同一の優先順位を有すると、前記第１のインデックスと前記第２のインデックスのうちの最も低いインデックスのＣＳＩ構成情報に対するＣＳＩ報告を受信する受信部と、を含み、
前記ＣＳＩ報告は、チャネル測定情報及び干渉測定情報に基づいて生成されることを特徴とする基地局。
【請求項１７】
前記受信部は、前記第１のＣＳＩ報告と前記第２のＣＳＩ報告のそれぞれのＣＳＩ報告タイプが同一の優先順位を有し、前記第１のインデックスと前記第２のインデックスが同一である場合、前記第１のＣＳＩ報告及び前記第２のＣＳＩ報告のうちの最も低いセルインデックスを有するセルに対応するＣＳＩ報告を受信することを特徴とする請求項１６に記載の基地局。
【請求項１８】
前記第１のチャネル測定情報及び前記第２のチャネル測定情報は、各々少なくとも一つのＣＳＩ−参照信号（reference signal：ＲＳ）に対する情報を含むことを特徴とする請求項１６に記載の基地局。
【請求項１９】
前記ＣＳＩ報告は、ランキング指示子（rank indicator：ＲＩ）、広帯域（wideband）チャネル品質指示子（ＣＱＩ）、サブ帯域（subband）ＣＱＩ、プリコーディングマトリックス指示子（precoding matrix indicator：ＰＭＩ）及びプリコーディングタイプ指示子（precoding type indicator：ＰＴＩ）のうちの少なくとも一つを含むことを特徴とする請求項１６に記載の基地局。
【請求項２０】
前記ＣＳＩ報告は、少なくとも一つのＣＳＩ−ＲＳを指示する情報を含むことを特徴とする請求項１９に記載の基地局。